(57)【要約】【課題】装置のメーカーとユーザーとがテスト加工の条件等に関する情報をオンラインでやりとりする場合において、第三者による不正なアクセスを防止すると共に、その対策を容易とする。【解決手段】ユーザー側の情報入力手段１と装置メーカー側の情報入力手段２と情報サーバー３とがネットワーク４によって接続された構成において、装置メーカー側の情報入力手段２から入力されたテスト加工依頼フォームを情報サーバー３の第一の記憶手段３１の所定のアドレスに記憶させておき、ユーザー側がそのテスト加工依頼フォームにアクセスするためのパスワードをユーザー側の情報入力手段１から入力させて情報サーバー３の第三の記憶手段３３に記憶させる。【選択図】  図１
2005018422.tif 000002
【特許請求の範囲】
【請求項１】
ユーザー側の情報入力手段と、装置メーカー側の情報入力手段と、情報サーバーとがネットワークによって接続されており、装置メーカー側が行うテスト加工に伴う情報をユーザー側と装置メーカー側との間で交換するテスト加工情報交換方法であって、
装置メーカー側はテスト加工依頼フォームを作成し、該テスト加工依頼フォームと該テスト加工依頼フォームに至るアドレスを該装置メーカー側の情報入力手段から該情報サーバーに入力するステップと、
ユーザー側は該ユーザー側の情報入力手段から該アドレスを入力して該テスト加工依頼フォームに至り該テスト加工依頼フォームを開状態にするための自己のパスワードを設定し該情報サーバーに入力するステップとを含み、
ユーザー側は該アドレスと該パスワードとを該ユーザー側の情報入力手段から入力し、該情報サーバーのテスト加工依頼フォームにアクセスして該テスト加工依頼フォーム上で装置メーカー側とテスト加工に伴う情報を交換するテスト加工情報交換方法。
【請求項２】
ユーザー側は該パスワードに加え、補助パスワードを設定して該ユーザー側の情報入力手段から該情報サーバーに入力するステップを含み、
ユーザー側は該アドレスと該補助パスワードとを該ユーザー側の情報入力手段から入力し、該情報サーバーのテスト加工依頼フォームにアクセスして該テスト加工依頼フォーム上で装置メーカー側とテスト加工に伴う情報を交換する請求項１に記載のテスト加工情報交換方法。
【請求項３】
該情報サーバーは、テスト加工依頼フォームを記憶する第一の記憶手段と、該第一の記憶手段に記憶されたテスト加工依頼フォームに至るアドレスを記憶する第二の記憶手段と、パスワードを記憶する第三の記憶手段と、情報入力手段から入力されたアドレスと該第二の記憶手段に記憶されているアドレスとを照合するアドレス照合手段と、情報入力手段から入力されたパスワードと該第三の記憶手段に記憶されているパスワードとを照合するパスワード照合手段とを少なくとも含み、
該ユーザー側の情報入力手段は、該アドレス照合手段と該パスワード照合手段とを介して該第一の記憶手段に記憶された該テスト加工依頼フォームにアクセスできる請求項１に記載のテスト加工情報交換方法。
【請求項４】
該情報サーバーは、補助パスワードを記憶する第四の記憶手段と、情報入力手段から入力された補助パスワードと該第四の記憶手段に記憶されている補助パスワードとを照合する補助パスワード照合手段とを含み、
該ユーザー側の情報入力手段は、該アドレス照合手段と該補助パスワード照合手段とを介して該第一の記憶手段に記憶された該テスト加工依頼フォームにアクセスできる請求項２に記載のテスト加工情報交換方法。
【発明の詳細な説明】
【０００１】
【発明の属する技術分野】
本発明は、加工装置を購入しようとするユーザーまたは購入したユーザーと加工装置メーカーとがオンラインでテスト加工の依頼及びそのテスト加工の結果等をやりとりする方法に係り、特に、テスト加工の情報に対するアクセスの管理を容易とする方法に関する。
【０００２】
【従来の技術】
加工装置を購入しようとするユーザーまたは購入したユーザーは、被加工物の加工に適した加工条件等を確認するために、加工装置を製造販売する加工装置メーカーに対して、予めテスト加工を依頼して加工条件等に関するデータの提出を求める場合がある。この際、加工装置メーカーの営業担当者は、被加工物の条件、テスト加工の手順、日程等についてユーザーの担当者と打ち合わせをしてテスト加工依頼書を作成し、それをメーカーのテスト加工担当者に手渡ししてテスト加工の指示を行う。
【０００３】
ところが、ユーザーの担当者とテスト加工担当者との間には営業担当者が介在し、テスト加工担当者は営業担当者が作成したテスト加工依頼書にしたがってテスト加工を行いデータを作成するため、ユーザーの担当者が意図した結果が得られない場合もある。
【０００４】
また、営業担当者が加工装置の操作性、機能、性能等を熟知していると言えない場合には、テスト加工依頼書を円滑に作成することができない場合があり、テスト加工に至るまでに相当の時間がかかって営業活動に支障をきたすという問題もある。
【０００５】
そこで、ユーザーの担当者とメーカーのテスト加工担当者とがオンラインで情報を直接やりとりしながらその内容を確認するシステムも提案されている（例えば特許文献１参照）。
【０００６】
【特許文献１】
特開平２００２−４９６５９号公報
【０００７】
【発明が解決しようとする課題】
しかしながら、加工装置における加工条件は、その加工装置を用いて製造される製品の品質を左右するという点で重要な機密情報であり、オンラインで情報をやりとりするシステムにおいては、第三者による不正なアクセスによりその機密情報が外部に漏洩するおそれがある。一方、不正なアクセスに対する対策を講じるのはメーカー側にとっても負担となる。
【０００８】
したがって、加工装置のメーカーとユーザーとが加工条件等に関する情報をオンラインでやりとりする場合においては、第三者による不正なアクセスを防止すると共に、その対策を容易とすることに課題を有している。
【０００９】
【課題を解決するための手段】
上記課題を解決するための具体的手段として本発明は、ユーザー側の情報入力手段と、装置メーカー側の情報入力手段と、情報サーバーとがネットワークによって接続されており、装置メーカー側が行うテスト加工に伴う情報をユーザー側と装置メーカー側との間で交換するテスト加工情報交換方法であって、装置メーカー側はテスト加工依頼フォームを作成し、テスト加工依頼フォームとテスト加工依頼フォームに至るアドレスを装置メーカー側の情報入力手段から情報サーバーに入力するステップと、ユーザー側はユーザー側の情報入力手段からアドレスを入力してテスト加工依頼フォームに至りテスト加工依頼フォームを開状態にするための自己のパスワードを設定し情報サーバーに入力するステップとを含み、ユーザー側はアドレスとパスワードとをユーザー側の情報入力手段から入力し、情報サーバーのテスト加工依頼フォームにアクセスしてテスト加工依頼フォーム上で装置メーカー側とテスト加工に伴う情報を交換するテスト加工情報交換方法を提供する。
【００１０】
そしてこのテスト加工情報交換方法は、ユーザー側はパスワードに加え、補助パスワードを設定してユーザー側の情報入力手段から情報サーバーに入力するステップを含み、ユーザー側はアドレスと補助パスワードとをユーザー側の情報入力手段から入力し、情報サーバーのテスト加工依頼フォームにアクセスしてテスト加工依頼フォーム上で装置メーカー側とテスト加工に伴う情報を交換すること、情報サーバーは、テスト加工依頼フォームを記憶する第一の記憶手段と、第一の記憶手段に記憶されたテスト加工依頼フォームに至るアドレスを記憶する第二の記憶手段と、パスワードを記憶する第三の記憶手段と、情報入力手段から入力されたアドレスと第二の記憶手段に記憶されているアドレスとを照合するアドレス照合手段と、情報入力手段から入力されたパスワードと第三の記憶手段に記憶されているパスワードとを照合するパスワード照合手段とを少なくとも含み、ユーザー側の情報入力手段は、アドレス照合手段とパスワード照合手段とを介して第一の記憶手段に記憶されたテスト加工依頼フォームにアクセスできること、請求項１に記載のテスト加工情報交換方法。情報サーバーは、補助パスワードを記憶する第四の記憶手段と、情報入力手段から入力された補助パスワードと第四の記憶手段に記憶されている補助パスワードとを照合する補助パスワード照合手段とを含み、ユーザー側の情報入力手段は、アドレス照合手段と補助パスワード照合手段とを介して第一の記憶手段に記憶されたテスト加工依頼フォームにアクセスできることを付加的要件とする。
【００１１】
上記のように構成される本発明によれば、最初に特定のアドレスにアクセスしたユーザーによってパスワードが設定され、テスト加工情報サーバは新規パスワードの設定に関与せず、新規パスワードは加工装置のユーザーの責任において設定され管理されるため、加工装置メーカー側ではパスワードを管理する必要がなく、第三者は加工装置のユーザーからパスワードを入手しない限りテスト加工情報にアクセスすることはできない。
【００１２】
また、補助パスワードの設定についてもテスト加工情報サーバは関与せず、補助者の選定及び補助パスワードの設定は加工装置のユーザーの責任において行われ、補助パスワードを使用できる補助者を加工装置のユーザーの担当者が決めることができる。
【００１３】
【発明の実施の形態】
本発明の実施の形態の一例について図面を参照して説明する。本発明においては、図１に示すように、ユーザー側の情報入力手段１と装置メーカー側の情報入力手段２と情報サーバー３とがネットワーク４によって接続された構成において、装置メーカー側が行うテスト加工に伴う情報をユーザー側と装置メーカー側との間で交換する。なお、ユーザー側、装置メーカー側のいずれの情報入力手段の台数も、図示の例には限定されない。また、装置メーカー側の情報入力手段２と情報サーバー３とは直接接続されていてもよい。
【００１４】
ユーザー側の情報入力手段１は、装置メーカーから装置を購入したユーザーまたは装置を購入しようとするユーザーの担当者または補助者が操作する機器であり、例えばパーソナルコンピュータ（パソコン）により構成される。一方、装置メーカー側の情報入力手段２は、装置メーカーのテスト加工担当者が操作する機器であり、例えばパソコンにより構成される。ユーザー側の情報入力手段１及び装置メーカー側の情報入力手段２は、いずれもキーボードやマウス等の入力手段とディスプレイ装置等の表示手段を備えている。
【００１５】
情報サーバー３は、ユーザーが装置メーカーに依頼するテスト加工の内容等のテスト加工に伴う情報からなるテスト加工依頼フォームを記憶する第一の記憶手段３１と、第一の記憶手段３１に記憶されたテスト加工依頼フォームに至るアドレスを記憶する第二の記憶手段３２と、テスト加工依頼フォームにアクセスする際に必要となるパスワードを記憶する第三の記憶手段３３と、情報入力手段から入力されたアドレスと第二の記憶手段３２に記憶されたアドレスとを照合するアドレス照合手段３４と、情報入力手段から入力されたパスワードと第三の記憶手段３３に記憶されているパスワードとを照合するパスワード照合手段３５とを備えている。
【００１６】
更に、図１の例では、情報サーバ３には補助パスワードを記憶する第四の記憶手段３６を備えている。補助パスワードは、ユーザーの担当者以外の補助者がテスト加工依頼フォームにアクセスする際に用いるもので、第四の記憶手段３６には、複数の補助パスワードを記憶させることもできる。即ち、ユーザーの担当者はパスワード照合手段３５を通過した後、補助者のパスワードを設定して第四の記憶手段３６に記憶させる。
【００１７】
第一の記憶手段３１は、例えばメモリやディスク等の記憶装置によって構成され、例えば図２に示す書式のデータからなるテスト加工依頼フォーム５が記憶される。このテスト加工依頼フォーム５は装置メーカー側が作成し、ユーザー側の情報入力手段１と装置メーカー側の情報入力手段２とに画面表示可能であると共に、双方から文字や数字からなる情報を書き込み可能である。
【００１８】
第二の記憶手段３２は、例えばメモリやディスク等の記憶装置によって構成され、情報サーバー３におけるテスト加工依頼フォームに至るアドレス、即ちテスト加工依頼フォームの記憶場所を示すアドレスを記憶している。ユーザーが複数存在し、テスト加工依頼フォームが複数ある場合は、ユーザーごとに異なるアドレスがそれぞれ記憶される。
【００１９】
第三の記憶手段３３は、例えばメモリやディスク等の記憶装置によって構成され、ユーザーが決めた自己のパスワードを記憶する。このパスワードは、情報入力手段１がテスト加工依頼フォームに至りそのテスト加工依頼フォームを開状態にするためのパスワード、即ち、テスト加工依頼フォームに対して読み出し及び書き込みが可能な状態にするためのパスワードである。ユーザーが複数存在し、テスト加工依頼フォームが複数ある場合は、ユーザーごとにそれぞれ記憶される。
【００２０】
アドレス照合手段３４は、情報入力手段１、２から指定されたアドレスと第二の記憶手段３２に記憶されたアドレスとを照合し、一致するものがあればそのアドレスに記憶されたテスト加工依頼フォームへのアクセスであると判断する。
【００２１】
パスワード照合手段３５は、情報入力手段からアドレスが指定されてアクセスがあった際に、そのアドレスに対応するユーザーが予め第三の記憶手段３３に記憶させたパスワードとアクセス時に入力され指定されたパスワードとを照合し、両パスワードが一致すればそのアドレスに記憶されたテスト加工依頼フォームに対する読み出し及び書き込みを許容し、一致しなければ拒否する。
【００２２】
装置メーカー側では、第一の記憶手段３１に予めテスト加工依頼フォームを作成して所定のアドレスに記憶させておくと共に、そのアドレスを情報入力手段２から入力して第二の記憶手段３２に記憶させ、更にそのアドレスをユーザーに通知しておく。ユーザーが複数ある場合は、個々のユーザーに対して、そのユーザーのテスト加工依頼フォームが記憶されているユーザー固有のアドレスのみを通知する。
【００２３】
ユーザーは、そのユーザー用のテスト加工依頼フォームの内容を情報入力手段１に表示させたり、そのテスト加工依頼フォームに情報を書き込んだりしようとするときは、装置メーカー側から通知されたアドレスを入力してテスト加工依頼フォームにアクセスする。
【００２４】
そうすると、情報サーバー３のアドレス照合手段３４が、情報入力手段１から入力されたアドレスを読み込むと共に、第二の記憶手段３２にそのアドレスが存在するか否かを照合し、そのアドレスがあればその旨の情報をパスワード照合手段３５に転送する。一方、そのアドレスが第二の記憶手段３２に存在しない場合は、アクセスを拒否する旨の情報を情報入力手段１に送信して表示させる。
【００２５】
情報入力手段１によって指定されたアドレスが第二の記憶手段３２に存在する旨の情報を受けたパスワード照合手段３５は、パスワードの設定をするか、またはパスワードの入力をするかのいずれかの情報を情報入力手段１に転送して画面表示させる。ユーザー側は、パスワードをまだ設定していない場合は、パスワードの設定画面が画面上に表示され、新規パスワードを入力して情報サーバー３に送信する。これを受信した情報サーバー３では、そのパスワードを第三の記憶手段３３に記憶させる。
【００２６】
情報入力手段１から入力されたパスワードが第三の記憶手段３３に記憶された後に、そのユーザーが情報入力手段１からアドレスを指定してテスト加工依頼フォームにアクセスする際は、アドレス照合手段３４によってそのアドレスと第二の記憶手段３２に記憶されたアドレスとが照合される。そして、一致するアドレスがある場合は、パスワード照合手段３５によってパスワードを入力させる情報が情報入力手段１に画面表示され、担当者がパスワードを入力すると、情報サーバー３に転送される。
【００２７】
パスワード照合手段３５では、受信したパスワードと第三の記憶手段３３に記憶されたパスワードとを照合し、一致する場合はその情報入力手段１からアドレスによって特定されたテスト加工依頼フォームへのアクセスを許可し、そのテスト加工情報フォームを第一の記憶手段３１から読み出して情報入力手段１に送信して画面表示させ、情報の書き込みが可能な状態とする。一方、パスワードが一致しない場合は、不正なアクセスであると判断してアクセスを拒否する。従って、パスワードは、テスト加工依頼フォームを開状態、即ち表示及び情報の書き込みが可能な状態とするためのものであり、情報入力手段１は、アドレス照合手段３４とパスワード照合手段３５とを介して第一の記憶手段３１に記憶されたテスト加工依頼フォームにアクセスできる。
【００２８】
このようにしてユーザー側の情報入力手段１から入力されたパスワードが第三の記憶手段３３に記憶されることにより、装置メーカー側はパスワードの設定に関与せず、パスワードの管理は専らユーザー側の担当者の責任において行われる。従って、第三者はパスワードを入手しない限りテスト加工依頼フォームにアクセスすることができないため、機密情報の漏洩が防止される。
【００２９】
アドレス照合手段３４及びパスワード照合手段３５によってテスト加工依頼依頼フォームへのアクセスが許可された情報入力手段１においては、ユーザー側の担当者が情報入力手段１において表示された内容を見ると共に、必要な情報を書き込むことができる。
【００３０】
また、装置メーカー側においては、情報入力手段２からアドレスを入力することにより、パスワードを入力することなく情報サーバー３にアクセスでき、ユーザーのテスト加工依頼フォームの内容を画面表示させたり情報を書き込んだりすることができる。従って、装置メーカー側とユーザー側とが情報を共有することができ、第一の記憶手段３１に記憶されたテスト加工依頼フォーム上でユーザー側と装置メーカー側とがテスト加工に伴う情報を交換することができるため、情報のやりとりが迅速かつ確実に行われる。なお、ユーザー側の情報入力手段１と装置メーカー側の情報入力手段２とを判別する判別手段３８をアドレス照合手段３４の後に配設することにより、装置メーカー側は、アドレスを入力した後、直ちに第一の記憶手段３１にアクセスすることができる。ただし、装置メーカー側もユーザー側と同様にパスワードを入力するようにしてもよい。
【００３１】
ユーザー側においてはテスト加工依頼フォームにアクセスする担当者が複数存在することもあるため、担当者が補助パスワードを設定し、その補助パスワードを用いてテスト加工依頼フォームにアクセスすることもできる。
【００３２】
情報入力手段１によって担当者からアドレスが指定され、パスワードが入力されてテスト加工依頼フォームにアクセスがあった際、パスワード照合手段３５は、補助パスワードの設定をするかの情報を情報入力手段１に転送して画面表示させる。ユーザー側は、補助パスワードの設定をする場合は、補助パスワードを入力して情報サーバー３に送信する。これを受信した情報サーバー３では、その補助パスワードを第四の記憶手段３６に記憶させる。
【００３３】
情報入力手段１から入力された補助パスワードが第四の記憶手段３６に記憶された後に、担当者は、特定した補助者に補助パスワードを連絡し、補助者が情報入力手段１からアドレスを指定してテスト加工依頼フォームにアクセスする際は、アドレス照合手段３４によってそのアドレスと第二の記憶手段３２に記憶されたアドレスとが照合される。そして、一致するアドレスがある場合は、次に補助パスワード照合手段３７が補助パスワードを入力させる情報を情報入力手段１に画面表示させ、補助者が補助パスワードを入力すると、情報サーバー３に転送される。
【００３４】
補助パスワード照合手段３７では、受信した補助パスワードと第四の記憶手段３６に記憶された補助パスワードとを照合し、一致する場合はその情報入力手段１からアドレスによって特定されたテスト加工依頼フォームへのアクセスを許可し、そのテスト加工情報フォームを第一の記憶手段３１から読み出して情報入力手段１に送信して画面表示させ、情報の書き込みが可能な状態とする。一方、補助パスワードが一致しない場合は、アクセスを拒否する。従って、補助パスワードは、テスト加工依頼フォームを開状態、即ち表示及び情報の書き込みが可能な状態とするためのものであり、情報入力手段１は、アドレス照合手段３４と補助パスワード照合手段３７とを介して第一の記憶手段３１に記憶されたテスト加工依頼フォームにアクセスできる。
【００３５】
このように、補助パスワードは、ユーザー側の責任において設定し、管理するものであるため、装置メーカー側では補助パスワードを管理する必要がなく、第三者は装置のユーザーからパスワードを入手しない限りテスト加工情報にアクセスすることはできない。従って、機密情報が漏洩するのを防止することができる。
【００３６】
また、補助パスワードの選定にあたっては、補助パスワードを使用できる補助者をユーザ側ーの担当者が決めるため、装置のユーザーにおいて補助者を制限することができ、この点においても装置メーカー側では管理の必要がない。
【００３７】
【発明の効果】
上記のように構成される本発明によれば、最初に特定のアドレスにアクセスしたユーザーによってパスワードが設定され、装置メーカー側はパスワードの設定に関与せず、パスワードはユーザーの責任において設定され管理されるため、装置メーカー側ではパスワードを管理する必要がなく、第三者はユーザーからパスワードを入手しない限りテスト加工情報にアクセスすることはできない。従って、機密情報が漏洩するのを防止することができる。
【００３８】
また、補助パスワードの設定についても装置メーカ側ーは関与せず、補助者の選定及び補助パスワードの設定はユーザ側ーの責任において行われ、補助パスワードを使用できる補助者をユーザーの担当者が決めることができるため、この点においても装置メーカーでは管理の必要がない。
【図面の簡単な説明】
【図１】本発明の実施に用いるシステムの構成を示す説明図である。
【図２】テスト加工依頼フォームの一例を示す説明図である。
【符号の説明】
１…ユーザー側の情報入力手段
２…装置メーカー側の情報入力手段
３…情報サーバー
３１…第一の記憶手段  ３２…第二の記憶手段
３３…第三の記憶手段  ３４…アドレス照合手段
３５…パスワード照合手段  ３６…第四の記憶手段
３７…補助パスワード照合手段  ３８…判別手段
４…ネットワーク
５…テスト加工依頼フォーム
【図１】
2005018422.tif 000003
【図２】
2005018422.tif 000004